(57)【特許請求の範囲】
【請求項１】
電子サブシステムの冷却を容易にするための冷却装置であって、前記冷却装置が、ハウジングの前面に取り付けられるように構成された液冷冷却構造体であって、前記電子サブシステムが前記ハウジング内にドッキングするように構成され、前記電子サブシステムが前記ハウジングに対してそれをドッキングまたはドッキング解除するために前記ハウジングの前記前面から前記ハウジングに対してスライド可能であり、前記液冷冷却構造体が、熱伝導材料を含み、それを通って延びる少なくとも１つの冷却液キャリング・チャネルを含む、液冷冷却構造体と、
前記電子サブシステムの１つまたは複数の発熱コンポーネントに結合するように構成された熱伝達エレメントであって、前記液冷冷却構造体が前記ハウジングの前記前面に取り付けられ、当該熱伝達エレメントが前記電子サブシステムの前記１つまたは複数の発熱コンポーネントに結合され、前記電子サブシステムが前記ハウジング内にドッキングされたときに、前記液冷冷却構造体に物理的に接触するように構成され、前記電子サブシステムの前記１つまたは複数の発熱コンポーネントから前記液冷冷却構造体への熱輸送路を提供する熱伝達エレメントと、
を含み、前記電子サブシステムが、前記液冷冷却構造体を通る冷却液の流れに影響せずに前記ハウジング内にドッキング可能であるかまたは前記ハウジングからドッキング解除可能であり、
前記電子サブシステムが冷却すべき複数の発熱コンポーネントを含み、前記熱伝達エレメントが水平に延びる部分と垂直に延びる部分とを含み、前記水平に延びる部分が前記冷却すべき複数の発熱コンポーネントのうちの少なくともいくつかの発熱コンポーネントとの熱によるインターフェースが取られ、前記垂直に延びる部分が、前記液冷冷却構造体が前記ハウジングの前記前面に取り付けられ、前記電子サブシステムが前記ハウジング内にドッキングされたときに、前記液冷冷却構造体の前面に物理的に接触するようにサイズ調整され構成され、
前記液冷冷却構造体が、それを通って延びる冷却液キャリング・チャネルを備えた複数の液冷冷却バーを含み、前記液冷冷却構造体が、前記液冷冷却バーを通って延びる前記複数の冷却液キャリング・チャネルと流体で連絡している冷却液吸入口プレナムおよび冷却液排出口プレナムをさらに含み、前記液冷冷却構造体が、前記ハウジングの前記前面に取り付けられるように構成されたモノリシック構造体であり、前記ハウジングが、複数の電子サブシステムを含む電子機器ラックである、
冷却装置。
【請求項２】
前記水平に延びる熱伝達部材または前記垂直に延びる熱インターフェース・プレートのうちの少なくとも一方が、前記熱輸送路の一部分を画定し、前記電子サブシステムの前記１つまたは複数の発熱コンポーネントによって発生された熱を前記液冷冷却構造体に輸送するのを容易にするヒート・パイプを含む、請求項１記載の冷却装置。
【請求項３】
前記垂直に延びる熱インターフェース・プレートがハンドルを含み、前記ハンドルは、前記熱伝達エレメントが前記電子サブシステムの前記１つまたは複数の発熱コンポーネントに結合されたときに、前記ハウジングの前記前面から前記ハウジングに対する前記電子サブシステムのスライド式のドッキングまたはドッキング解除を容易にし、前記垂直に延びる熱インターフェース・プレートが、前記液冷冷却構造体が前記ハウジングの前記前面に取り付けられ、前記熱伝達エレメントが前記１つまたは複数の発熱コンポーネントに結合され、前記電子サブシステムが前記ハウジング内にドッキングされたときに、前記液冷冷却構造体に対する前記垂直に延びる熱インターフェース・プレートの物理的接触を維持するのを容易にするように構成された少なくとも１つの保持エレメントをさらに含む、請求項１記載の冷却装置。
【請求項４】
複数のサブシステム・ドッキング・ポートを含む電子機器ラックと、
前記電子機器ラックに対してそれをドッキングまたはドッキング解除するために、前記電子機器ラックの前面から前記複数のサブシステム・ドッキング・ポートに対してスライド可能である複数の電子サブシステムと、
前記電子機器ラック内にドッキングされたときに前記複数の電子サブシステムの冷却を容易にするための冷却装置とを含み、前記冷却装置が、
前記電子機器ラックの前記前面に取り付けられる液冷冷却構造体であって、熱伝導材料を含み、それを通って延びる少なくとも１つの冷却液キャリング・チャネルを含む液冷冷却構造体と、
各熱伝達エレメントが、前記複数の電子サブシステムのうちのそれぞれの電子サブシステムの１つまたは複数の発熱コンポーネントに結合され、前記電子サブシステムが前記電子機器ラック内にドッキングされたときに、前記液冷冷却構造体に物理的に接触するように構成され、各熱伝達エレメントが、前記それぞれの電子サブシステムの前記１つまたは複数の発熱コンポーネントから前記液冷冷却構造体への熱輸送路を提供し、前記複数の電子サブシステムが、前記液冷冷却構造体を通る冷却液の流れに影響せずに前記電子機器ラック内にドッキング可能であるかまたは前記電子機器ラックからドッキング解除可能である、複数の熱伝達エレメントと、
を含み、
前記各熱伝達エレメントが、前記それぞれの電子サブシステムの前記１つまたは複数の発熱コンポーネントに結合された水平に延びる熱伝達部材と、前記水平に延びる熱伝達部材の一方の端部から延びる垂直に延びる熱インターフェ  ース・プレートとを含み、前記それぞれの熱輸送路が前記水平に延びる熱伝達部材および前記垂直に延びる熱インターフェース・プレートを通過し、
前記垂直に延びる熱インターフェース・プレートが、その第１の端部で前記水平に延びる熱伝達部材に接続され、前記それぞれの電子サブシステムが前記電子機器ラックの前記複数のサブシステム・ドッキング・ポートのうちの１つのサブシステム・ドッキング・ポート内にドッキングされたときに、その第２の端部で前記液冷冷却構造体の前面に物理的に接触するように構成され、
前記液冷冷却構造体がモノリシック構造体であり、前記電子機器ラックが複数列のサブシステム・ドッキング・ポートを含み、前記複数の液冷冷却バーが、前記複数列のサブシステム・ドッキング・ポート内にドッキングされた電子サブシステムの冷却を容易にし、
前記液冷冷却構造体が前記電子機器ラックの前記前面を横切って延びる複数の液冷冷却バーを含み、各液冷冷却バーがそれを通って延びる少なくとも１つの冷却液キャリング・チャネルを含み、前記液冷冷却構造体が、前記電子機器ラックの前記前面を横切って延びる前記複数の液冷冷却バーの前記冷却液キャリング・チャネルと流体で連絡している冷却液吸入口プレナムおよび冷却液排出口プレナムをさらに含み、前記冷却液吸入口プレナムおよび前記冷却液排出口プレナムが、前記電子機器ラックの前記前面に取り付けられる垂直に配向されたプレナムである、
液冷電子機器ラック。
【請求項５】
前記複数の熱伝達エレメントのうちの少なくとも１つの熱伝達エレメントの前記水平に延びる熱伝達部材または前記垂直に延びる熱インターフェース・プレートのうちの少なくとも一方が、その前記熱輸送路の一部分を画定し、前記それぞれの電子サブシステムの前記１つまたは複数の発熱コンポーネントによって発生された熱を前記液冷冷却構造体に輸送するのを容易にするヒート・パイプを含む、請求項４記載の液冷電子機器ラック。
【請求項６】
前記複数の熱伝達エレメントの前記垂直に延びる熱インターフェース・プレートがそれぞれ、前記電子機器ラックに対する前記それぞれの電子サブシステムのスライド式のドッキングまたはドッキング解除を容易にするためのハンドルと、前記それぞれの電子サブシステムが前記電子機器ラック内にドッキングされたときに、前記液冷冷却構造体に対する前記垂直に延びる熱インターフェース・プレートの物理的接触を維持するのを容易にするように構成された少なくとも１つの保持エレメントを含む、請求項４記載の液冷電子機器ラック。
【請求項７】
前記液冷冷却構造体が複数の水平に延びる液冷冷却バーを含み、各水平に延びる液冷冷却バーが、それに結合された複数のそれぞれの熱伝達エレメントを介して複数の電子サブシステムを冷却するように構成される、請求項４記載の液冷電子機器ラック。
【請求項８】
液冷電子機器ラックを製作する方法であって、
複数のサブシステム・ドッキング・ポートを含む電子機器ラックと、前記電子機器ラックに対して複数の電子サブシステムをドッキングまたはドッキング解除するために前記複数のサブシステム・ドッキング・ポートに対してスライド可能である複数の電子サブシステムとを使用することと、
前記電子機器ラック内にドッキングされたときに前記複数の電子サブシステムの冷却を容易にするための冷却装置を設けることであって、前記冷却装置を設けることが、
前記複数のサブシステム・ドッキング・ポートに隣接して前記電子機器ラックに液冷冷却構造体を取り付けることであって、前記液冷冷却構造体が熱伝導材料を含み、それを通って延びる少なくとも１つの冷却液キャリング・チャネルを含むことと、
複数の熱伝達エレメントを設け、前記複数の電子サブシステムのうちのそれぞれの電子サブシステムの１つまたは複数の発熱コンポーネントに各熱伝達エレメントを固定することと、
を含み、前記それぞれの電子サブシステムが前記電子機器ラック内にドッキングされたときに、各熱伝達エレメントが前記液冷冷却構造体に物理的に接触するように構成され、各熱伝達エレメントが、前記それぞれの電子サブシステムの前記１つまたは複数の発熱コンポーネントから前記液冷冷却構造体への熱輸送路を提供し、前記電子サブシステムが、前記液冷冷却構造体を通る冷却液の流れに影響せずに前記電子機器ラック内にドッキング可能であるかまたは前記電子機器ラックからドッキング解除可能であり、
前記電子サブシステムが冷却すべき複数の発熱コンポーネントを含み、前記熱伝達エレメントが水平に延びる部分と垂直に延びる部分とを含み、前記水平に延びる部分が前記冷却すべき複数の発熱コンポーネントのうちの少なくともいくつかの発熱コンポーネントとの熱によるインターフェースが取られ、前記垂直に延びる部分が、前記液冷冷却構造体が前記ハウジングの前記前面に取り付けられ、前記電子サブシステムが前記ハウジング内にドッキングされたときに、前記液冷冷却構造体の前面に物理的に接触するようにサイズ調整され構成され、
前記液冷冷却構造体が前記電子機器ラックの前面を横切って延びる複数の液冷冷却バーを含み、前記電子機器ラックの前記複数のサブシステム・ドッキング・ポートが前記電子機器ラックの前記前面からアクセス可能であり、各液冷冷却バーがそれを通って延びる少なくとも１つの冷却液キャリング・チャネルを含み、前記液冷冷却構造体が、前記電子機器ラックの前記前面を横切って延びる前記複数の液冷冷却バーの前記冷却液キャリング・チャネルと流体で連絡している冷却液吸入口プレナムおよび冷却液排出口プレナムをさらに含み、前記方法が、前記冷却液吸入口プレナムおよび前記冷却液排出口プレナムを前記
電子機器ラックの前記前面に垂直に取り付けることと、前記複数の液冷冷却バーを前記電子機器ラックの前記前面を横切って水平に取り付けることとをさらに含み、
前記液冷冷却構造体を設けることが、前記冷却液吸入口プレナムと、冷却液排出口プレナムと、複数の液冷冷却バーとを含むモノリシック構造体として前記液冷冷却構造体を設けることを含み、前記電子機器ラックが複数列のサブシステム・ドッキング・ポートを含み、前記複数の液冷冷却バーが、前記複数の熱伝達エレメントを使用して前記複数列のサブシステム・ドッキング・ポート内にドッキングされた電子サブシステムの冷却を容易にする、
前記方法。
【請求項９】
前記複数の熱伝達エレメントを設けることが、それぞれの電子サブシステムの少なくとも１つの発熱コンポーネントに各熱伝達エレメントを物理的に接続することと、前記それぞれの電子サブシステムが前記電子機器ラック内にドッキングされたときに、前記液冷冷却構造体に対する前記熱伝達エレメントの物理的接触を維持するのを容易にするように構成された少なくとも１つの保持エレメントを各熱伝達エレメントに設けることとをさらに含む、請求項８記載の方法。
【発明の詳細な説明】
【技術分野】
【０００１】
本発明は、熱伝達メカニズムに関し、詳細には、１つまたは複数の電子サブシステムによって発生された熱を除去するための冷却装置、液冷電子機器ラック、およびその製作方法に関する。さらに詳細には、本発明は、電子機器ラック用の前面取り付け液冷冷却構造体を含む、冷却装置および冷却電子機器ラックに関する。
【背景技術】
【０００２】
既知の通り、動作中の電子デバイスは熱を発生する。デバイス接合温度を望ましい限度内に維持するために、この熱はデバイスから除去しなければならず、熱を効果的に除去し損なうと、結果的にデバイス温度が上昇し、潜在的に熱暴走状態に至る。ＣＭＯＳなど、熱管理が伝統的にあまり関心事ではなかった技術を含み、電子デバイスのための熱除去を含む、熱管理の重要性を高めるために、電子工業におけるいくつかのトレンドが結集している。特に、より高速でより高密度にパックされた回路の必要性は、熱管理の重要性に直接的な影響を及ぼしている。第一に、デバイスの動作周波数が上昇するにつれて、ワット損、したがって、熱発生が増加する。第二に、動作周波数の上昇は低いデバイス接合温度でも発生する可能性がある。さらに、ますます多くのデバイスが単一チップ上にパックされるにつれて、熱流束（ワット／ｃｍ２）が増加し、その結果、所与のサイズのチップまたはモジュールからより多くの電力を除去する必要が発生する。このようなトレンドが結集して、ヒート・パイプまたは蒸気チャンバとともに空冷ヒート・シンクを使用することなど、伝統的な空冷方法のみによって最新のデバイスから熱を除去することがもはや望ましくないような適用例を作り出している。このような空冷技法は本質的に、高出力密度を備えた電子デバイスから熱を抽出する能力が限られている。
【発明の概要】
【発明が解決しようとする課題】
【０００３】
したがって、現在および将来の高熱負荷かつ高熱流束の電子デバイスおよびシステムを冷却する必要性により、液体冷却を使用する積極的な熱管理技法の開発が要求されている。
【課題を解決するための手段】
【０００４】
一態様では、電子サブシステムの冷却を容易にするための冷却装置を提供することにより、従来技術の短所が克服され、追加の利点が提供される。この冷却装置は、液冷冷却構造体と熱伝達エレメント（heat transfer element）とを含む。液冷冷却構造体はハウジングの前面に取り付けられるように構成され、電子サブシステムはそのハウジング内にドッキングするように構成される。電子サブシステムは、ハウジングの前面からハウジングに対してそれをドッキングまたはドッキング解除するために、ハウジングに対してスライド可能である。液冷冷却構造体は、熱伝導材料を含み、それを通って延びる少なくとも１つの冷却液キャリング・チャネル（coolant-carrying channel）を含む。熱伝達エレメントは、電子サブシステムの１つまたは複数の発熱コンポーネントに結合するように構成され、液冷冷却構造体がハウジングの前面に取り付けられ、熱伝達エレメントが電子サブシステムの１つまたは複数の発熱コンポーネントに結合され、電子サブシステムがハウジング内にドッキングされたときに、液冷冷却構造体に物理的に接触するように構成され、熱伝達エレメントは、電子サブシステムの１つまたは複数の発熱コンポーネントから液冷冷却構造体への熱輸送路（thermal transport path）を提供し、電子サブシステムは、液冷冷却構造体を通る冷却液の流れに影響せずにハウジング内にドッキング可能であるかまたはハウジングからドッキング解除可能である。
【０００５】
他の態様では、複数のサブシステム・ドッキング・ポートを含む電子機器ラックと、電子機器ラックに対してそれをドッキングまたはドッキング解除するために、電子機器ラックの前面から複数のサブシステム・ドッキング・ポートに対してスライド可能である複数の電子サブシステムと、電子機器ラック内にドッキングされたときに複数の電子サブシステムの冷却を容易にするための冷却装置とを含む、液冷電子機器ラックが提供される。冷却装置は、電子機器ラックの前面に取り付けられる液冷冷却構造体と、複数の熱伝達エレメントとを含む。液冷冷却構造体は、熱伝導材料を含み、それを通って延びる少なくとも１つの冷却液キャリング・チャネルを含む。各熱伝達エレメントは、複数の電子サブシステムのうちのそれぞれの電子サブシステムの１つまたは複数の発熱コンポーネントに結合され、それぞれの電子サブシステムが電子機器ラック内にドッキングされたときに、液冷冷却構造体に物理的に接触するように構成され、各熱伝達エレメントは、それぞれの電子サブシステムの１つまたは複数の発熱コンポーネントから液冷冷却構造体への熱輸送路を提供し、複数の電子サブシステムは、液冷冷却構造体を通る冷却液の流れに影響せずに電子機器ラック内にドッキング可能であるかまたは電子機器ラックからドッキング解除可能である。
【０００６】
他の態様では、液冷電子機器ラックを製作する方法が提供される。この方法は、複数のサブシステム・ドッキング・ポートを含む電子機器ラックと、電子機器ラックに対してそれをドッキングまたはドッキング解除するために、複数のサブシステム・ドッキング・ポートに対してスライド可能である複数の電子サブシステムとを使用することと、電子機器ラック内にドッキングされたときに複数の電子サブシステムの冷却を容易にするための冷却装置を設けることとを含む。冷却装置を設けることは、複数のサブシステム・ドッキング・ポートに隣接して電子機器ラックに液冷冷却構造体を取り付けることであって、液冷冷却構造体が熱伝導材料を含み、それを通って延びる少なくとも１つの冷却液キャリング・チャネルを含むことと、複数の熱伝達エレメントを設け、複数の電子サブシステムのうちのそれぞれの電子サブシステムの１つまたは複数の発熱コンポーネントに各熱伝達エレメントを固定することとを含む。それぞれの電子サブシステムが電子機器ラック内にドッキングされたときに、各熱伝達エレメントが液冷冷却構造体に物理的に接触するように構成され、各熱伝達エレメントが、それぞれの電子サブシステムの１つまたは複数の発熱コンポーネントから液冷冷却構造体への熱輸送路を提供し、電子サブシステムが、液冷冷却構造体を通る冷却液の流れに影響せずに電子機器ラック内にドッキング可能であるかまたは電子機器ラックからドッキング解除可能である。
【０００７】
さらに、本発明の技法により追加の特徴および利点が実現される。本発明のその他の実施形態および態様については本明細書に詳細に記載されており、請求された本発明の一部と見なされる。
【０００８】
本発明と見なされる主題は、本明細書の結びにある特許請求の範囲で詳細に指摘され、明確に請求される。本発明の上記その他の目的、特徴、および利点は、添付図面に併せて取られた以下の詳細な説明から明らかである。
【図面の簡単な説明】
【０００９】
【図１】空冷データ・センタの従来の上げ床レイアウトの一実施形態を描写する図である。
【図２】本発明の一態様により、データ・センタの１つまたは複数の電子機器ラックの液体冷却のための冷却水配分装置の一実施形態を描写する図である。
【図３】本発明の一態様により、電子サブシステムのコンポーネントを冷却するための空気および液体冷却システムを示す電子サブシステム・レイアウトの一実施形態の平面図である。
【図４】本発明の一態様により、それぞれにそれぞれの冷却装置が関連付けられている冷却すべき８つの発熱電子コンポーネントまたはデバイスを電子サブシステムが含み、部分的に組み立てられた電子サブシステム・レイアウトの詳細な一実施形態を描写する図である。
【図５Ａ】本発明の他の態様により、液冷冷却装置とともに変更すべき空冷電子機器ラックの他の実施形態の断面平面図である。
【図５Ｂ】本発明の一態様により、その線５Ｂ−５Ｂに沿って取られ、液冷冷却装置とともに変更すべき、図５Ａの電子機器ラックの実施形態の１列の垂直に配向された電子サブシステム全体の断面立面図である。
【図６Ａ】本発明の一態様により、液冷冷却装置とともに変更すべき、図５Ａおよび図５Ｂの空冷電子機器ラックの側面図である。
【図６Ｂ】本発明の一態様により、その線６Ｂ−６Ｂに沿って取られ、液冷冷却装置とともに変更すべき、図６Ａの空冷電子機器ラックの断面立面図である。
【図７】本発明の一態様により、液冷電子機器ラックの一実施形態の部分分解斜視図である。
【図８Ａ】本発明の一態様により、図７の液冷電子機器ラックの冷却装置のＬ形熱伝達エレメントおよび電子サブシステムの部分分解図である。
【図８Ｂ】本発明の一態様により、図７の液冷電子機器ラックの冷却装置のＬ形熱伝達エレメントの水平に延びる熱伝達部材内のヒート・パイプを示す、図８ＡのＬ形熱伝達エレメントの部分切取図である。
【図９】本発明の一態様により、図７の液冷電子機器ラックの冷却装置およびいくつかの電子サブシステムの部分斜視図である。
【図１０】本発明の一態様により、冷却装置の液冷冷却構造体（複数も可）への熱輸送路を提供する、それぞれのＬ形熱伝達エレメントと物理的に接触しているその発熱電子コンポーネントとともに動作位置にドッキングされた３つの電子サブシステムを示す、図９の構造体の部分斜視図である。
【図１１】本発明の一態様により、図７の液冷電子機器ラックの冷却装置用のＴ形熱伝達エレメントおよび電子サブシステムの部分分解図である。
【発明を実施するための形態】
【００１０】
本明細書で使用する「電子機器ラック」、「ラック・マウント電子機器」、および「ラック・ユニット」という用語は、区別なく使用され、他の指定がない限り、コンピュータ・システムまたは電子システムの１つまたは複数の発熱コンポーネントを有する任意のハウジング、フレーム、ラック、コンパートメント、ブレード・サーバ・システムなどを含み、たとえば、ハイエンド、中間、またはローエンドの処理能力を有するスタンドアロン・コンピュータ・プロセッサにすることができる。一実施形態では、電子機器ラックは、複数の電子サブシステムまたはドロワを含むことができ、それぞれは、冷却を必要とし、そこに配置された１つまたは複数の発熱コンポーネントを有する。「電子サブシステム」は、そこに配置された１つまたは複数の発熱電子デバイスを有する任意のサブハウジング、ブレード、ブック、ドロワ、ノード、コンパートメントなどを指す。電子機器ラックの各電子サブシステムは電子機器ラックに対して移動可能なものまたは固定されたものにすることができ、ブレード・センタ・システムのラック・マウント電子機器ドロワおよびブレードは冷却すべき電子機器ラックのサブシステムの２つの例である。
【００１１】
「発熱コンポーネント」または「電子コンポーネント」は、たとえば、冷却を必要とするコンピュータ・システムまたはその他の電子サブシステムあるいはユニットの任意の発熱電子デバイスを指す。一例として、電子コンポーネントは、１つまたは複数のプロセッサ・チップ、メモリ・チップ、およびメモリ・サポート・チップを含む、冷却すべき１つまたは複数の集積回路ダイ（またはチップ）あるいはその他の電子デバイスまたはその両方を含むことができる。他の一例として、電子コンポーネントは、共通キャリア上に配置された１つまたは複数のベア・ダイあるいは１つまたは複数のパッケージ化されたダイを含むことができる。本明細書で使用する「１次発熱コンポーネント」は電子サブシステム内の１次発熱電子デバイスを指し、「２次発熱コンポーネント」は冷却すべき１次発熱コンポーネントより熱を発生しない、電子サブシステムの電子デバイスを指す。「１次発熱ダイ」は、たとえば、１次および２次発熱ダイを含む発熱電子デバイス内の１次発熱ダイまたはチップを指す（プロセッサ・ダイが一例である）。「２次発熱ダイ」は、その１次発熱ダイより熱を発生しない、マルチダイ電子デバイスのダイを指す（メモリ・ダイおよびメモリ・サポート・ダイが冷却すべき２次ダイの例である）。一例として、発熱電子デバイスは、共通キャリア上の複数の１次発熱ベア・ダイと複数の２次発熱ダイを含むことができるであろう。さらに、「コールド・プレート」という用語は、それを通って冷却液を流すためにそこに形成された１つまたは複数のチャネルまたは通路を有する任意の熱伝導構造体を指す。加えて、「冶金接合」は、本明細書では一般に、２つのコンポーネントが何らかの手段によってまとめて溶接、蝋付け、または半田付けされることを指す。
【００１２】
本明細書で使用する「液冷式液体熱交換器」は、たとえば、相互に熱的または機械的に接触している熱伝導チューブ（銅またはその他のチューブなど）から形成された２つまたはそれ以上の冷却液流路を含むことができる。液冷式液体熱交換器のサイズ、構成、および構造は、本明細書に開示された本発明の範囲から逸脱せずに様々になる可能性がある。さらに、「データ・センタ」は、冷却すべき１つまたは複数の電子機器ラックを含むコンピュータ設備を指す。特定の一例として、データ・センタは、サーバ・ユニットなど、１列または複数列のラック・マウント演算装置を含むことができる。
【００１３】
ファシリティ冷却液とシステム冷却液の一例は水である。しかし、本明細書に開示された冷却概念は、容易にファシリティ側あるいはシステム側またはその両方でその他のタイプの冷却液とともに使用するようになっている。たとえば、冷却液のうちの１つまたは複数は、依然として本発明の利点および固有の特徴を維持しながら、ブライン、フルオロカーボン液、ハイドロフルオロエーテル液、液体金属、またはその他の同様の冷却液あるいは冷却剤を含むことができる。
【００１４】
以下で図面を参照するが、図面はその理解を容易にするために一定の縮尺で描かれているわけではなく、異なる図面全体を通して使用する同じ参照番号は同じかまたは同様の構成要素を示している。
【００１５】
図１は、従来技術で典型的な空冷データ・センタ１００の上げ床レイアウトを描写しており、複数の電子機器ラック１１０が１列または複数列に配置されている。図１に描写されているようなデータ・センタは、数百または数千ものマイクロプロセッサを収容することができる。図示の配置では、冷却した空気は、コンピュータ・ルームの上げ床１４０と基礎または下張り床１６５との間に画定された給気プレナム１４５から穴あき床タイル１６０を介してコンピュータ・ルームに入る。冷却した空気は、電子機器ラックの吸気口側１２０のルーバ・カバーから取り込まれ、電子機器ラックの背面（すなわち、吹き出し口側１３０）から排出される。各電子機器ラック１１０は、ラックのサブシステム（複数も可）内の電子デバイスを冷却するために強制的な吸入口から排出口への空気流を提供するために、１つまたは複数の空気移動装置（たとえば、ファンまたはブロワ）を有することができる。給気プレナム１４５は、コンピュータ設備の「冷たい」アイル内に配置された穴あき床タイル１６０を介して電子機器ラックの吸気口側に調節し冷却した空気を提供する。調節し冷却した空気は、同じくデータ・センタ１００内に配置された１つまたは複数の空調ユニット１５０によってプレナム１４５に供給される。大気は、その上部部分付近で各空調ユニット１５０に取り込まれる。この大気は、部分的に、たとえば、電子機器ラック１１０の対向する吹き出し口側１３０によって画定されたコンピュータ設備の「熱い」アイルから排出された空気を含む可能性もある。
【００１６】
電子機器ラックを通る必要な空気流が絶えず増加し、典型的なデータ・センタ設備内の空気分配が制限されることにより、液体ベースの冷却が従来の空冷と組み合わされている。図２〜図４は、電子機器ラック内に配置された高熱発生電子デバイスに結合された１つまたは複数のコールド・プレートを備えた液体ベースの冷却システムを使用するデータ・センタ実装例の一実施形態を示している。
【００１７】
図２は、データ・センタ用の冷却水配分装置２００の一実施形態を部分的に描写している。この冷却水配分装置は、伝統的に、完全なエレクトロニクス・フレームと見なされるものを占める大型ユニットである。冷却水配分装置２００内には、電源／制御エレメント２１２、リザーバ／膨張タンク２１３、熱交換器２１４、ポンプ２１５（しばしば余分な第２のポンプが付随する）、ファシリティ用吸水口２１６および排水口２１７の供給管、カップリング２２０およびライン２２２を介して電子機器ラック１１０に水またはシステム冷却液を供給する供給マニホルド２１８、ライン２２３およびカップリング２２１を介して電子機器ラック１１０から水を受け取る戻りマニホルド２１９が存在する。各電子機器ラックは（一例では）、その電子機器ラック用の電源／制御ユニット２３０と、複数の電子サブシステム２４０と、システム冷却液供給マニホルド２５０と、システム冷却液戻りマニホルド２６０とを含む。図示の通り、各電子機器ラック１１０は、データ・センタの上げ床１４０上に配置されており、システム冷却液供給マニホルド２５０にシステム冷却液を提供するライン２２２と、システム冷却液戻りマニホルド２６０からシステム冷却液の戻りを容易にするライン２２３は上げ床の下の給気プレナム内に配置されている。
【００１８】
図示の実施形態では、システム冷却液供給マニホルド２５０は、ラック内の供給マニホルドとそれぞれの電子サブシステムとの間に配置されているフレキシブル・ホース接続部２５１を介して電子サブシステムの冷却システムに（詳細には、その液冷コールド・プレートに）システム冷却液を提供する。同様に、システム冷却液戻りマニホルド２６０はフレキシブル・ホース接続部２６１を介して電子サブシステムに結合される。フレキシブル・ホース２５１、２６１と個々の電子サブシステムとの間の境界ではクイック・コネクト・カップリングを使用することができる。一例として、これらのクイック・コネクト・カップリングは、米国ミネソタ州セントポールのコールダー・プロダクツ社または米国オハイオ州クリーブランドのパーカー・ハニフィン社から入手可能なものなど、様々なタイプの市販のカップリングを含むことができる。
【００１９】
図示されていないが、電子機器ラック１１０は、その吹き出し口側に配置された空冷式液体熱交換器も含むことができ、これもシステム冷却液供給マニホルド２５０からシステム冷却液を受け取り、システム冷却液戻りマニホルド２６０にシステム冷却液を返す。
【００２０】
図３は、電子サブシステム３１３のコンポーネント・レイアウトの一実施形態を描写しており、１つまたは複数の空気移動装置３１１が強制的な空気流３１５を提供して電子サブシステム３１３内の複数のコンポーネント３１２を冷却する。冷気はサブシステムの前面３３１から取り込まれ、背面３３３から排出される。冷却すべき複数のコンポーネントとしては、（液体ベースの冷却システムの）液冷コールド・プレート３２０が結合された複数のプロセッサ・モジュール、ならびに空冷ヒート・シンクが結合された複数アレイのメモリ・モジュール３３０（たとえば、デュアル・インライン・メモリ・モジュール（ＤＩＭＭ））および複数列のメモリ・サポート・モジュール３３２（たとえば、ＤＩＭＭ制御モジュール）を含む。図示の実施形態では、メモリ・モジュール３３０およびメモリ・サポート・モジュール３３２は、電子サブシステム３１３の前面３３１付近で部分的に整列し、電子サブシステム３１３の背面３３３付近で部分的に整列している。また、図３の実施形態では、メモリ・モジュール３３０およびメモリ・サポート・モジュール３３２は電子サブシステムを横切る空気流３１５によって冷却される。
【００２１】
図示の液体ベースの冷却システムは、液冷コールド・プレート３２０に接続され、それと流体で連絡している複数の冷却液キャリング・チューブをさらに含む。冷却液キャリング・チューブは複数組の冷却液キャリング・チューブを含み、それぞれの組は（たとえば）冷却液供給チューブ３４０と、ブリッジ・チューブ３４１と、冷却液戻りチューブ３４２とを含む。この例では、各組のチューブは直列接続の１対のコールド・プレート３２０（１対のプロセッサ・モジュールに結合される）に冷却液を提供する。冷却液は、冷却液供給チューブ３４０を介して各対の第１のコールド・プレート内に流れ、ブリッジ・チューブまたはライン３４１を介してその対の第１のコールド・プレートから第２のコールド・プレートに流れ、そのラインは熱伝導性である場合もあれば、そうではない場合もある。その対の第２のコールド・プレートからそれぞれの冷却液戻りチューブ３４２を介して冷却液が戻される。
【００２２】
図４は、それぞれに液体ベースの冷却システムのそれぞれの液冷コールド・プレートが結合されている、８つのプロセッサ・モジュールを含む、代替の電子サブシステム・レイアウトをより詳細に描写している。液体ベースの冷却システムは、液冷コールド・プレートによる冷却液の通過を容易にするための関連の冷却液キャリング・チューブと、液冷コールド・プレートへの冷却液の配分および液冷コールド・プレートからの冷却液の戻りを容易にするためのヘッダ・サブアセンブリとをさらに含むように示されている。特定の例として、液体ベースの冷却サブシステムを通過する冷却液は冷却し調節した水である。
【００２３】
図４は、電子サブシステムまたはドロワおよびモノリシック冷却システムの一実施形態の等角図である。描写されているプレーナ・サーバ・アセンブリは、冷却すべきメモリＤＩＭＭソケットおよび様々な電子デバイスが物理的かつ電気的に取り付けられた多層プリント回路基板を含む。描写されている冷却システムでは、供給ヘッダは単一の吸水口から複数の並列冷却液流路に冷却液を配分するために設けられ、戻りヘッダは排出された冷却液を複数の並列冷却液流路から単一の排出口内に収集する。各並列冷却液流路は、コールド・プレートが機械的かつ熱的に結合される１つまたは複数の電子デバイスの冷却を容易にするために直列の流れ配置として１つまたは複数のコールド・プレートを含む。並列流路の数および直列接続の液冷コールド・プレートの数は、たとえば、所望のデバイス温度、使用可能な冷却液の温度と冷却液の流量、ならびに各電子デバイスから放散されている全熱負荷によって決まる。
【００２４】
詳細には、図４は、冷却すべき１次発熱コンポーネント（たとえば、プロセッサ・ダイを含む）に結合された、部分的に組み立てられた電子サブシステム４１３および組み立てられた液体ベースの冷却システム４１５を描写している。この実施形態では、電子システムは、電子機器ラックの電子機器ドロワのために（または、電子機器ドロワとして）構成され、一例として、サポート基板またはプレーナ・ボード４０５と、複数のメモリ・モジュール・ソケット４１０（メモリ・モジュール（たとえば、デュアル・インライン・メモリ・モジュール）は図示せず）と、複数列のメモリ・サポート・モジュール４３２（それぞれに空冷ヒート・シンク４３４が結合されている）と、液体ベースの冷却システム４１５の液冷コールド・プレート４２０の下に配置された複数のプロセッサ・モジュール（図示せず）とを含む。
【００２５】
液冷コールド・プレート４２０に加えて、液体ベースの冷却システム４１５は、それぞれの液冷コールド・プレート４２０と流体で連絡している冷却液供給チューブ４４０および冷却液戻りチューブ４４２を含む、複数の冷却液キャリング・チューブを含む。また、冷却液キャリング・チューブ４４０、４４２は、冷却液供給チューブへの冷却液の配分および冷却液戻りチューブ４４２からの冷却液の戻りを容易にするヘッダ（またはマニホルド）サブアセンブリ４５０にも接続されている。この実施形態では、電子サブシステム４１３の前面４３１により近いメモリ・サポート・モジュール４３２に結合された空冷ヒート・シンク４３４は、電子サブシステム４１３の背面４３３付近でメモリ・サポート・モジュール４３２に結合された空冷ヒート・シンク４３４’より高さが低い。この実施形態では、ヘッダ・サブアセンブリ４５０が電子機器ドロワの前面４３１にあり、複数の液冷コールド・プレート４２０がドロワの中間にあるので、このサイズ差は冷却液キャリング・チューブ４４０、４４２を収容するためのものである。
【００２６】
液体ベースの冷却システム４１５は、それぞれの発熱電子デバイスとかみ合うための間隔関係に配置され構成された複数の（組み立て済み）液冷コールド・プレート４２０を含む、事前構成されたモノリシック構造体を含む。各液冷コールド・プレート４２０は、この実施形態では、冷却液吸入口および冷却液排出口、ならびに取り付けサブアセンブリ（すなわち、コールド・プレート／ロード・アーム・アセンブリ）を含む。各取り付けサブアセンブリは、そのそれぞれの液冷コールド・プレート４２０を関連の電子デバイスに結合して、コールド・プレートと電子デバイスのアセンブリを形成するために使用される。組み立てプロセス中に位置合わせピンまたは位置決めドエルを受け入れるために、コールド・プレートの両側に位置合わせ開口部（すなわち、貫通孔）が設けられている。さらに、取り付けアセンブリの使用を容易にするコネクタ（またはガイド・ピン）が取り付けサブアセンブリ内に含まれている。
【００２７】
図４に示されている通り、ヘッダ・サブアセンブリ４５０は、２つの液体マニホルド、すなわち、冷却液供給ヘッダ４５２と冷却液戻りヘッダ４５４とを含み、これらは一実施形態では支持ブラケットを介してまとめて結合されている。図４のモノリシック冷却構造体では、冷却液供給ヘッダ４５２は各冷却液供給チューブ４４０と流体で連絡して冶金接合され、冷却液戻りヘッダ４５４は各冷却液戻りチューブ４４２と流体で連絡して冶金接合されている。単一の冷却液吸入口４５１と単一の冷却液排出口４５３は、電子機器ラックの冷却液供給マニホルドおよび冷却液戻りマニホルド（図示せず）に結合するためにヘッダ・サブアセンブリから延びている。
【００２８】
図４は、事前構成された冷却液キャリング・チューブの一実施形態も描写している。冷却液供給チューブ４４０および冷却液戻りチューブ４４２に加えて、たとえば、１つの液冷コールド・プレートの冷却液排出口を他の液冷コールド・プレートの冷却液吸入口に結合して連続した流体の流れでコールド・プレート同士を接続するために、ブリッジ・チューブまたはライン４４１が設けられ、この１対のコールド・プレートはそれぞれ１組の冷却液供給チューブおよび冷却液戻りチューブを介して冷却液を受け取り、返す。一実施形態では、冷却液供給チューブ４４０、ブリッジ・チューブ４４１、および冷却液戻りチューブ４４２はそれぞれ、銅またはアルミニウムなどの熱伝導材料で形成された事前構成半硬質チューブであり、これらのチューブはそれぞれ、ヘッダ・サブアセンブリあるいは液冷コールド・プレートまたはその両方に対して液密状に蝋付け、半田付け、または溶接されている。これらのチューブは、特定の電子システムとのかみ合い関係にあるモノリシック構造体の設置を容易にするためにその電子システム向けに事前構成される。
【００２９】
上述の液体ベースの冷却システムの問題は、たとえば、ヘッダ・サブアセンブリとラックレベルの冷却液供給マニホルドおよび冷却液戻りマニホルドとの間に複数の液体接続部が存在することと、ラック内の電子サブシステムまたは電子サブシステム内のコンポーネントの除去あるいは交換またはその両方に対応するためにこれらの接続部のうちの複数個を壊す必要が生じると思われることである。交換を行うべきときに電子機器ラックが現場にあって使用中である場合、これは問題となる可能性がある。したがって、複数の液体接続部は、信頼性および保守容易性の両方の見地から望ましくない。加えて、電子サブシステム内のコールド・プレートへの冷却液コンジット接続部を使用することにより、水などの冷却液が能動回路コンポーネント上に漏れ、その結果、損傷が発生する恐れがあるという望ましくない可能性がある。したがって、ラック内に位置決めされた電子サブシステムあるいは電子サブシステム内の１つまたは複数のコンポーネントの保守または除去のために流体接続を遮断する必要なしに、しかも、電子サブシステムの内部またはエレクトロニクス・フレームの内部に冷却液が存在するかまたはそこに入れられることなしに、「ブレード状」パッケージなどの電子サブシステムに液体冷却の利点を提供する代替の液体ベースの冷却手法について、（図５Ａ〜図１０に関連して）以下に説明する。
【００３０】
図５Ａ〜図６Ｂは、強制空冷によって冷却される、代替の電子機器ラックの実施形態を示している。図５Ａおよび図６Ａに例示されている通り、大気は、電子機器ラック内の電子コンポーネントを冷却するために電子機器ラック５００の吸気口側５０１に入り、その後、電子機器ラックの背面５０２から加熱空気として排出される。この空気流を容易にするために、電子機器ラック５００は、電子機器ラックの電子サブシステム内の電子コンポーネントを冷却するために強制的な吸入口から排出口への空気流を提供する、ファンまたはブロワなど、１つまたは複数の空気移動装置５１０（図５Ａ）を含むことができる。
【００３１】
図５Ａおよび図５Ｂには、複数の電子サブシステム５２０が列５１５に並んで示されており、各電子サブシステムは回路基板５２１またはその他の支持基板を含み、複数の発熱電子コンポーネント５２２がそこに配置され、この発熱電子コンポーネントは、一実施形態では、同じタイプかまたは異なるタイプの電子モジュールを含むことができる。たとえば、各発熱電子コンポーネント５２２はディスク・ドライブを含む可能性があり、各回路基板５２１は冷却を必要とするディスク・ドライブのアレイを支持する。他の諸実施形態では、発熱コンポーネントは、冷却を必要とし、様々なサイズおよび形状の回路モジュール、プロセッサ、メモリ、またはその他の論理装置など、種々のタイプの電子コンポーネントを含むことができる。
【００３２】
図５Ａ〜図６Ｂの各電子サブシステム５２０は、（一例としてのみ）電子機器ラックに対して、特に、電気的バックプレーン（electrical backplane）５３０（図５Ａ）に対してドッキングしドッキング解除する、垂直に配向された電子サブシステムである。電気的バックプレーン５３０は電子サブシステム間の電力および通信接続を可能にする。詳細な一例として、各電子サブシステムは、マルチブレード・センタ・システムの１つのブレードである。
【００３３】
図６Ｂに例示されている通り、実装例に応じて、電子機器ラック内に複数列５１５の電子サブシステムを設けることもできる。このタイプのパッケージ化配置の一例は、ニューヨーク州アーモンクのインターナショナル・ビジネス・マシーンズ社によって提供されるブレード・センタ・システムによってもたらされ、そのブレード・サーバは冷却すべき電子サブシステムの一例である。
【００３４】
以下に記載する図７〜図１０は、本発明の一態様により、冷却装置、液冷電子機器ラック、およびその製作方法の一例を示している。
【００３５】
図７の液冷電子機器ラックに例示されている通り、冷却装置７００は、（一実施形態では）電子機器ラック５００の前面５０１に取り付けられる液冷冷却構造体７１０、ならびに、それぞれが冷却すべきそれぞれの電子サブシステム５２０の１つまたは複数の発熱コンポーネントに結合される複数のＬ形熱伝達エレメント７２０を含む。本明細書で使用する電子機器ラック５００の「前面」は、それにより電子機器ラック内に画定された複数のそれぞれのサブシステム・ドッキング・ポートに対して電子サブシステムがドッキングまたはドッキング解除される、アクセス・プレーンを指す。さらに、ドッキングされると、電子サブシステムは、その電子サブシステムが電子機器ラック内で動作可能に配置されるように電子機器ラックの電気的バックプレーンに電気的に結合されていると想定される。
【００３６】
図示の実施形態では、液冷冷却構造体７１０は、冷却液吸入口プレナム７１１と、冷却液排出口プレナム７１２と、複数の水平に延びる液冷冷却バー７１３とを含むモノリシック構造体であり、それぞれの電子サブシステム５２０が電子機器ラック内にドッキングされると、Ｌ形熱伝達エレメント７２０がその液冷冷却バー７１３に対して物理的に接触するかあるいは取り付けられるかまたはその両方を行う。例示されている通り、冷却液吸入口プレナム７１１は、供給チューブ７１４を介して、システムまたはファシリティ水源などの冷却液供給源と流体で連絡して結合され、冷却液排出口プレナム７１２は、戻りチューブ７１５を介して、システムまたはファシリティ水帰路などの冷却液帰路と流体で連絡して結合されている。以下に詳細に説明する通り、電子サブシステム５２０の１つまたは複数の発熱電子コンポーネントによって発生された熱は、Ｌ形熱伝達エレメントを通過する熱輸送路による伝導によって、電子機器ラックの前面に取り付けられる管状冷却バー構造体などのそれぞれの液冷冷却バー７１３に伝達される。液冷冷却バー７１３は、液冷冷却バー内の１つまたは複数の冷却液キャリング・チャネルを通って流れる冷却液（たとえば、水）に対流によって熱を伝達し、冷却液は、たとえば、顧客のファシリティ水系による拒絶のためにその熱を運び去る。熱伝導は、熱伝達部材とそれぞれの液冷冷却バー７１３がそれらの間の良好な熱伝導路との熱によるインターフェースを取ることを保証するために、各熱伝達部材とそれぞれの液冷冷却バー７１３との間にサーマル・グリース（thermal grease）、熱伝導パッド、またはその他の間隙熱伝導層などの壊れやすい熱インターフェース（thermal interface）を設けることにより、容易にすることができる。
【００３７】
図７に例示されている通り、電子機器ラック５００は、電子機器ラックの１つまたは複数の電気的バックプレーンにドッキングするかまたは差し込むためにブレード状電子サブシステムがスライド式に挿入される、複数列のサブシステム・ドッキング・ポートを含む。有利なことに、（一実施形態では）モノリシック構造体として液冷冷却構造体７１０を設けることにより、電子機器ラックにおける冷却液接続部を最小限にするために複数の冷却バーおよびマニホルド構造体が一元的に形成される一体化構造が提供される。この実施形態では、単一の冷却液供給接続部と単一の冷却液戻り接続部がそれぞれ電子機器ラックの底部の前面右側と左側で使用される。
【００３８】
図８Ａは、図７の冷却した電子機器ラックの実施形態により、ブレード状電子サブシステム５２０およびＬ形熱伝達エレメント７２０の簡略分解図を描写している。例示されている通り、電子サブシステム５２０は、回路基板５２１と、回路基板上に配置された複数の電子コンポーネントまたはモジュール５２２とを含む、ブレードタイプ・パッケージ・アセンブリである。電子サブシステムが電子機器ラック内にドッキングされるときに電子機器ラックのそれぞれの電気的バックプレーンに電子サブシステムを差し込むために、回路基板の１つのエッジに１つまたは複数の電気コネクタ（図示せず）も設けられるであろう。
【００３９】
例示されている通り、Ｌ形熱伝達エレメント７２０は、水平に延びる部分８００と垂直に延びる部分８１０とを含む。図示の実施形態では、水平に延びる部分は、垂直に延びる部分８１０の一方の端部に冶金付着された水平に延びる熱伝達部材である。代わって、水平に延びる部分８００および垂直に延びる部分８１０は、図８Ａに例示されている通りに構成されたモノリシック構造体の種々の部分を含むことができるであろう。このようなモノリシック構造体は、Ｌ形またはＴ形（図１１に関連して以下に述べるもの）にかかわらず、熱伝達エレメントにより潜在的に最良の熱伝達を行うことになるであろう。垂直に延びる部分は、（一実施形態では）以下に詳述する通り、水平に延びる熱伝達部材の端部に取り付けられ、それぞれの液冷冷却バーに物理的に接触する、熱インターフェース・プレートである。水平に延びる熱伝達部材８００が冷却すべき１つまたは複数の電子コンポーネント５２２に接触しているように、その熱伝達部材８００を、たとえば、電子サブシステム５２０の回路基板５２１に固定するために、金属クリップ（図示せず）または同様のファスナを使用することができる。熱伝導は、熱伝達部材と冷却すべきそれぞれの発熱コンポーネントがそのコンポーネントと熱伝達部材との間の良好な熱伝導路との熱によるインターフェースを取ることを保証するために、その熱伝達部材とコンポーネントとの間にエポキシ、サーマル・グリース、熱伝導パッド、またはその他の間隙熱伝導層を設けることにより、容易にすることができる。回路基板５２１の上の様々な高さのコンポーネント（図示せず）への接触を保証するために、コンポーネントに面する熱伝達部材の主表面上に突起物またはランドを使用することができる。図８Ａには２つの別個のコンポーネントとして示されているが、Ｌ形熱伝達エレメントは、それにより熱輸送路を形成するように構成された熱伝導材料を含む一元構造として製作できることに留意されたい。
【００４０】
一実施形態では、水平に延びる熱伝達部材８００は１つまたは複数のヒート・パイプ８２０を含み、熱インターフェース・プレート８１０は、中実な熱伝導プレートである場合もあれば、それ自体も１つまたは複数のヒート・パイプを含む場合もある。例示されている例では、３つの円柱形のヒート・パイプが水平に延びる熱伝達部材内に埋め込まれて示されている。周知の通り、ヒート・パイプは、蒸気の流れにより熱がその構造体の一方の端部からもう一方の端部に移動できるようにし、芯またはスクリーン状のマトリックスによる毛管力の作用により液体凝縮液の戻りを可能にする中空構造体を含むことができる。高濃度の蒸気は熱源により近いところに存在し、低濃度の蒸気はヒート・パイプのコンデンサ（condenser：凝縮器）側端部に存在する可能性がある。その結果、部材の一方の端部からもう一方の端部に熱を運ぶための蒸気の潜熱容量を利用して、部材の一方の端部からもう一方の端部への質量の流れが発生する。一実施形態では、図８Ｂの例示されている熱伝達部材は、銅またはアルミニウムなどの熱伝導材料のブロックに適切なサイズの穴をドリルであけることによって製作することができ、その後、円柱形のヒート・パイプをそこに挿入することができる。
【００４１】
図９および図１０は図７に描写されているものなどの液冷電子機器ラックの部分実施形態を示しており、図９は、電子サブシステムとそれに結合されたＬ形熱伝達エレメントとを含む冷却電子サブシステム・アセンブリを液冷電子機器ラック内の対応するサブシステム・ドッキング・スロット内にスライドしている状態を示し、図１０は、Ｌ形熱伝達エレメントが液冷冷却バー７１３に物理的に接触し、電子機器ラック内のドッキング位置にある冷却電子サブシステム・アセンブリを示している。
【００４２】
図９に示されている通り、冷却電子サブシステム・アセンブリの電子機器ラック内への挿入および除去を容易にするために、ハンドル９００が各熱インターフェース・プレート８１０に取り付けられて設けられている。この実施形態では、熱インターフェース・プレートと冷却バーとの良好な物理的接触、したがって、熱インターフェース・プレートから冷却バーへの良好な熱輸送路を容易にするために、例示されている液冷冷却バー７１３内のねじ付き開口部９２０へのねじ式取り付けのために２つの保持エレメント９１０（たとえば、ねじ）が使用されている。保持ねじは一例としてのみ設けられている。熱インターフェース・プレートと冷却バーとの間の良好な熱インターフェースを達成するために機械的負荷を提供するための手段であれば、どのような手段でも保持エレメントとして使用することができる。たとえば、単一保持ねじまたはクランプ・メカニズムを使用できるであろう。
【００４３】
図９に例示されている実施形態では、液冷冷却バー７１３は、それを通って延びる２つの冷却液キャリング・チャネル９３０を含む。冷却液キャリング・チャネルは、冷却液（水など）が冷却バーを通って冷却装置（図７を参照）の冷却液吸入口プレナムから冷却液排出口プレナムまで自由に流れることができるようにするために、冷却バーの一方の側からもう一方の側に延びるように構成される。２つの冷却液チャネルは一例としてのみ図９に描写されていることに留意されたい。単一の冷却液チャネルを使用するか、あるいは３つ以上の冷却液チャネルを使用することもできるであろう。さらに、図示されていないが、熱インターフェース・プレートから液冷冷却バーを通って流れる冷却液への対流熱伝達用の伝熱面積を増加するために、冷却液キャリング・チャネルまたは冷却バーを通る通路内にリブ（またはファン）を設けることができる。
【００４４】
図１０は図９の構造体を描写しており、冷却電子サブシステム・アセンブリは電子機器ラック内に完全にドッキングされ、電子サブシステムの電気コネクタは電力および信号配分のために電子機器ラックの電気的バックプレーン５３０とかみ合っている。図示の通り、一実施形態では、熱インターフェース・プレート８１０は、それぞれの液冷冷却バー７１３に接触するために、回路基板５２１の高さより上の高さに延びている。冷却電子サブシステム・アセンブリがラックのバックプレーン内の電気コネクタと接続すると、アセンブリを所定の位置にロックし、冷却装置の熱インターフェース・プレートと水平に延びる冷却バーとの間の良好な熱接触を保証するために、熱インターフェース・プレートの前面の保持エレメントが締め付けられる。動作時に、熱は、１つまたは複数の発熱電子コンポーネント５２２から熱伝達部材へ、次に水平に延びる熱伝達部材８００（たとえば、ヒート・パイプを含む）内の経路１０００を通り、熱インターフェース・プレート８１０内の経路１０１０で上に向かい、物理インターフェース１０２０を横切って水平配置の液冷冷却バー７１３の壁に至り、このため、それを通って延びる冷却液キャリング・チャネルを通る冷却液流１０３０に至る伝導によって流れる。
【００４５】
冷却電子サブシステム・アセンブリのうちの１つまたは複数のドッキングならびにドッキング解除は、その構造体の水平に延びる冷却バーを通るなど、液冷冷却構造体を通る冷却液の流れに影響しないことに留意されたい。冷却電子サブシステム・アセンブリを電子機器ラックからスライド式にドッキング解除するかまたは冷却電子サブシステム・アセンブリを電子機器ラック内にドッキングするために、いかなる冷却液コネクタも遮断する必要はない。
【００４６】
図１１は、図７の冷却電子機器ラックの実施形態により使用可能なＴ形熱伝達エレメント７２０’とブレード状電子サブシステム５２０の簡略分解図を描写している。例示されている通り、この代替実施形態では、Ｔ形熱伝達エレメント７２０’はこの場合も水平に延びる部分８００’と垂直に延びる部分８１０’とを含む。水平に延びる部分は、垂直に延びる部分８１０’の一方の端部に冶金付着可能な水平に延びる熱伝達部材である。代わって、Ｔ形熱伝達エレメントはモノリシック構造体として形成することができる。垂直に延びる部分は、（一実施形態では）図７に描写されているものなど、水平に延びる熱伝達部材の端部に取り付けられ、液冷冷却構造体のそれぞれ上部および下部液冷冷却バーに物理的に接触するようにサイズ調整され構成された、熱インターフェース・プレートである。例示されている通り、垂直に延びる部分８１０’を上部および下部液冷冷却バー（図示せず）の両方にねじ式に取り付けて、垂直に延びる部分と上部および下部冷却バーとの良好な物理的接触を容易にし、したがって、冷却バーへの良好な熱輸送路を提供するために、複数組の保持エレメントを使用することができる。この場合も、保持ねじは一例としてのみ設けられている。垂直に延びる部分とそれぞれの冷却バーとの間の良好な熱インターフェースを達成するために機械的負荷を提供するための手段であれば、どのような手段でも保持エレメントとして使用することができる。
【００４７】
諸実施形態について本明細書で詳細に描写し説明してきたが、本発明の思想を逸脱せずに様々な変更、追加、代用などが可能であり、したがって、これらは特許請求の範囲に定義されている本発明の範囲内にあると見なされることは当業者にとって明らかになるであろう。
【図１】
0005671731.tif 000002
【図２】
0005671731.tif 000003
【図３】
0005671731.tif 000004
【図４】
0005671731.tif 000005
【図５Ａ】
0005671731.tif 000006
【図５Ｂ】
0005671731.tif 000007
【図６Ａ】
0005671731.tif 000008
【図６Ｂ】
0005671731.tif 000009
【図７】
0005671731.tif 000010
【図８Ａ】
0005671731.tif 000011
【図８Ｂ】
0005671731.tif 000012
【図９】
0005671731.tif 000013
【図１０】
0005671731.tif 000014
【図１１】
0005671731.tif 000015